(57)【要約】【課題】  微細気泡供給運転時が実行される場合において、入浴者の快適性を向上させることが可能な技術を提供する。【解決手段】  風呂システムは、浴槽と、加熱装置と、ポンプと、第１吐出口と、第２吐出口と、吸込口と、気液混合装置と、第１循環水路と、第２循環水路と、第３循環水路と、微細気泡吐出ノズルと、制御装置と、を備える。第１循環水路の一部と第２循環水路の一部が共用されている。加熱装置及びポンプは、第１循環水路、第２循環水路、及び、第３循環水路で共用される水路に設けられている。気液混合装置は、第１循環水路及び第３循環水路で共用される水路に設けられている。制御装置は、微細気泡供給運転と、微細気泡供給運転を実行する前に、第２循環水路内の水を第２吐出口から排水する第１循環運転と、微細気泡供給運転を実行する前に、第３循環水路内において水を循環させる第２循環運転と、を実行可能に構成されている。【選択図】図５
2020183836.tif 000002
【特許請求の範囲】
【請求項１】
浴槽と、
加熱装置と、
ポンプと、
気体が溶解した水を前記浴槽に吐出する第１吐出口と、
前記加熱装置によって加熱された水を前記浴槽に吐出する第２吐出口と、
前記浴槽内の水を吸い込む吸込口と、
水に気体を溶解させる気液混合装置と、
前記吸込口から流入する水を前記第１吐出口から流出させる第１循環水路と、
前記吸込口から流入する水を前記第２吐出口から流出させる第２循環水路と、
前記気液混合装置と前記ポンプとの間で水を循環させる第３循環水路と、
前記第１循環水路上に設けられる微細気泡吐出ノズルと、
制御装置と、を備え、
前記第１循環水路の一部と前記第２循環水路の一部が共用されており、
前記加熱装置及び前記ポンプは、前記第１循環水路、前記第２循環水路、及び、前記第３循環水路で共用される水路に設けられており、
前記気液混合装置は、前記第１循環水路及び前記第３循環水路で共用される水路に設けられており、
前記制御装置は、
前記ポンプを駆動させ、前記吸込口から、前記浴槽内の水を前記第１循環水路に導入し、前記気液混合装置、及び、前記微細気泡吐出ノズルを通過した水を、前記第１吐出口から前記浴槽内に吐出させる微細気泡供給運転と、
前記微細気泡供給運転を実行するための指示である運転実行指示が取得される場合に、前記微細気泡供給運転を実行する前に、前記吸込口から前記浴槽内の水を吸い込み、前記第２循環水路内の水を前記第２吐出口から排水する第１循環運転と、
前記運転実行指示が取得される場合に、前記微細気泡供給運転を実行する前に、前記第３循環水路内において水を循環させる第２循環運転と、
を実行可能に構成されている、風呂システム。
【請求項２】
浴槽と、
ポンプと、
前記浴槽の壁部に設置される第１吐出口であって、前記第１吐出口から吐出される水の量は、前記第１吐出口が設置される壁部に対する垂直成分の水の量が、前記第１吐出口が設置される壁部に対する平行成分の水の量よりも多い、前記第１吐出口と、
前記浴槽の壁部に設置される第２吐出口であって、前記第２吐出口から吐出される水の量は、前記第２吐出口が設置される壁部に対する平行成分の水の量が、前記第２吐出口が設置される壁部に対する垂直成分の水の量よりも多い、前記第２吐出口と、
前記浴槽内の水を吸い込む吸込口と、
水に気体を溶解させる気液混合装置と、
前記吸込口から流入する水を前記第１吐出口から流出させる第１循環水路と、
前記吸込口から流入する水を前記第２吐出口から流出させる第２循環水路と、
前記気液混合装置と前記ポンプとの間で水を循環させる第３循環水路と、
前記第１循環水路上に設けられる微細気泡吐出ノズルと、
制御装置と、を備え、
前記第１循環水路の一部と前記第２循環水路の一部が共用されており、
前記ポンプは、前記第１循環水路、前記第２循環水路、及び、前記第３循環水路で共用される水路に設けられており、
前記気液混合装置は、前記第１循環水路及び前記第３循環水路で共用される水路に設けられており、
前記制御装置は、
前記ポンプを駆動させ、前記吸込口から、前記浴槽内の水を前記第１循環水路に導入し、前記気液混合装置、及び、前記微細気泡吐出ノズルを通過した水を、前記第１吐出口から前記浴槽内に吐出させる微細気泡供給運転と、
前記微細気泡供給運転を実行するための指示である運転実行指示が取得される場合に、前記微細気泡供給運転を実行する前に、前記吸込口から前記浴槽内の水を吸い込み、前記第２循環水路内の水を前記第２吐出口から排水する第１循環運転と、
前記運転実行指示が取得される場合に、前記微細気泡供給運転を実行する前に、前記第３循環水路内において水を循環させる第２循環運転と、
を実行可能に構成されている、風呂システム。
【請求項３】
前記制御装置は、
前記運転実行指示が取得される場合に、前記第１循環運転を実行し、
前記第１循環運転が終了した後に、前記第２循環運転を実行する、請求項１又は２に記載の風呂システム。
【請求項４】
前記風呂システムは、さらに、
前記第１循環水路、前記第２循環水路、及び、前記第３循環水路で共用される水路に設けられている加熱装置を備え、
前記制御装置は、
前記運転実行指示が取得される場合に、前記第２循環運転を実行し、
前記第２循環運転において、前記加熱装置を駆動させ、
前記第２循環運転が終了した後に、前記第１循環運転を実行する、請求項１又は２に記載の風呂システム。
【発明の詳細な説明】
【技術分野】
【０００１】
本明細書で開示する技術は、風呂システムに関する。
【背景技術】
【０００２】
特許文献１には、浴槽と、ポンプと、第１吐出口と、第２吐出口と、浴槽内の水を吸い込む吸込口と、吸込口から流入する水を、第１吐出口から流出させる第１循環水路と、吸込口から流入する水を第２吐出口から流出させる第２循環水路と、第１循環水路上に設けられる微細気泡吐出ノズルと、制御装置と、を備える風呂システムが開示されている。第１循環水路の一部と第２循環水路の一部が共用されている。ポンプは、第１循環水路及び第２循環水路で共用される水路に設けられている。制御装置は、ポンプを駆動させ、吸込口から、浴槽内の水を第１循環水路に導入し、気液混合装置、及び、微細気泡吐出ノズルを通過した水を、第１吐出口から浴槽内に吐出させる微細気泡供給運を実行可能に構成されている。
【先行技術文献】
【特許文献】
【０００３】
【特許文献１】特開２００８−１６４２３３号公報
【発明の概要】
【発明が解決しようとする課題】
【０００４】
第１吐出口または第２吐出口から浴槽内に水が吐出された後に、長時間が経過すると、各循環水路内の水の温度が、浴槽内の水の温度よりも低い温度になることがある。このような状況では、微細気泡供給運転の開始直後に、微細気泡供給運転が開始する前に第１循環水路内に滞留していた比較的に温度の低い水が第１吐出口から浴槽内に吐出される。この比較的に温度の低い水が入浴者に直撃すると、入浴者に不快感を与え得る。
【０００５】
本発明は、微細気泡供給運転時が実行される場合において、入浴者の快適性を向上させることが可能な技術を提供する。
【課題を解決するための手段】
【０００６】
本明細書によって開示される一実施形態の風呂システムは、浴槽と、加熱装置と、ポンプと、気体が溶解した水を前記浴槽に吐出する第１吐出口と、前記加熱装置によって加熱された水を前記浴槽に吐出する第２吐出口と、前記浴槽内の水を吸い込む吸込口と、水に気体を溶解させる気液混合装置と、前記吸込口から流入する水を前記第１吐出口から流出させる第１循環水路と、前記吸込口から流入する水を前記第２吐出口から流出させる第２循環水路と、前記気液混合装置と前記ポンプとの間で水を循環させる第３循環水路と、前記第１循環水路上に設けられる微細気泡吐出ノズルと、制御装置と、を備え、前記第１循環水路の一部と前記第２循環水路の一部が共用されており、前記加熱装置及び前記ポンプは、前記第１循環水路、前記第２循環水路、及び、前記第３循環水路で共用される水路に設けられており、前記気液混合装置は、前記第１循環水路及び前記第３循環水路で共用される水路に設けられており、前記制御装置は、前記ポンプを駆動させ、前記吸込口から、前記浴槽内の水を前記第１循環水路に導入し、前記気液混合装置、及び、前記微細気泡吐出ノズルを通過した水を、前記第１吐出口から前記浴槽内に吐出させる微細気泡供給運転と、前記微細気泡供給運転を実行するための指示である運転実行指示が取得される場合に、前記微細気泡供給運転を実行する前に、前記吸込口から前記浴槽内の水を吸い込み、前記第２循環水路内の水を前記第２吐出口から排水する第１循環運転と、前記運転実行指示が取得される場合に、前記微細気泡供給運転を実行する前に、前記第３循環水路内において水を循環させる第２循環運転と、を実行可能に構成されている。
【０００７】
上記の構成によると、制御装置は、微細気泡供給運転を実行する前に、第２循環水路内の比較的に温度の低い水（以下では、「低温水」と呼ぶ）を第２吐出口から浴槽内に排水する第１循環運転を実行する。第２吐出口は、加熱された水を浴槽に吐出するための吐出口である。加熱された水が入浴者に直撃すると、入浴者に不快感を与える。このため、一般的に、第２吐出口は、第２吐出口から吐出される水が入浴者に直撃しないように設計される。従って、第１循環運転において、低温水が第２吐出口から浴槽内に排水されても、低温水は入浴者に直撃しない。そして、第１循環運転において、第２循環水路内の低温水が比較的に温度の高い浴槽内の水（以下では、「浴槽水」と呼ぶ）に置換される。このため、第１循環水路と第２循環水路とで共用される水路の水は浴槽水に置換される。従って、微細気泡供給運転の開始直後に、低温水が、第１吐出口を介して、浴槽内に吐出されることを抑制することができる。また、制御装置は、微細気泡供給運転を実行する前に、第３循環水路内において水を循環させる第２循環運転を実行する。これにより、第３循環水路内に滞留している水が混合される。この場合、第３循環水路のうち、第１循環水路と共用される水路以外の水路に比較的に温度の高い水が滞留していれば、第１循環水路と第３循環水路で共用される水路の低温水の温度を高くすることができる。このため、第１循環運転と第２循環運転とが実行されることで、第１循環水路と第２循環水路とで共用される水の温度、及び、第３循環水路の水の温度が高くなる。従って、微細気泡供給運転の開始直後に、低温水が、第１吐出口を介して、浴槽内に吐出されることをより抑制することができる。この結果、風呂システムを利用するユーザの快適性を向上させることができる。
【０００８】
本明細書によって開示される別の実施形態の風呂システムは、浴槽と、ポンプと、前記浴槽の壁部に設置される第１吐出口であって、前記第１吐出口から吐出される水の量は、前記第１吐出口が設置される壁部に対する垂直成分の水の量が、前記第１吐出口が設置される壁部に対する平行成分の水の量よりも多い、前記第１吐出口と、前記浴槽の壁部に設置される第２吐出口であって、前記第２吐出口から吐出される水の量は、前記第２吐出口が設置される壁部に対する平行成分の水の量が、前記第２吐出口が設置される壁部に対する垂直成分の水の量よりも多い、前記第２吐出口と、前記浴槽内の水を吸い込む吸込口と、水に気体を溶解させる気液混合装置と、前記吸込口から流入する水を前記第１吐出口から流出させる第１循環水路と、前記吸込口から流入する水を前記第２吐出口から流出させる第２循環水路と、前記気液混合装置と前記ポンプとの間で水を循環させる第３循環水路と、前記第１循環水路上に設けられる微細気泡吐出ノズルと、制御装置と、を備え、前記第１循環水路の一部と前記第２循環水路の一部が共用されており、前記ポンプは、前記第１循環水路、前記第２循環水路、及び、前記第３循環水路で共用される水路に設けられており、前記気液混合装置は、前記第１循環水路及び前記第３循環水路で共用される水路に設けられており、前記制御装置は、前記ポンプを駆動させ、前記吸込口から、前記浴槽内の水を前記第１循環水路に導入し、前記気液混合装置、及び、前記微細気泡吐出ノズルを通過した水を、前記第１吐出口から前記浴槽内に吐出させる微細気泡供給運転と、前記微細気泡供給運転を実行するための指示である運転実行指示が取得される場合に、前記微細気泡供給運転を実行する前に、前記吸込口から前記浴槽内の水を吸い込み、前記第２循環水路内の水を前記第２吐出口から排水する第１循環運転と、前記運転実行指示が取得される場合に、前記微細気泡供給運転を実行する前に、前記第３循環水路内において水を循環させる第２循環運転と、を実行可能に構成されている。
【０００９】
上記の構成によると、制御装置は、微細気泡供給運転を実行する前に、低温水を、第２吐出口から排水する第１循環運転を実行する。第１循環運転において、第２吐出口が設置されている壁部に対して平行な方向に多くの低温水が排水されるため、低温水は入浴者に直撃し難い。そして、第１循環運転において、第２循環水路内の低温水が浴槽水に置換される。このため、第１循環水路と第２循環水路とで共用される水路の水は浴槽水に置換される。従って、微細気泡供給運転の開始直後に、低温水が、第１吐出口を介して、浴槽内に吐出されることを抑制することができる。また、制御装置は、微細気泡供給運転を実行する前に、第３循環水路内において水を循環させる第２循環運転を実行する。これにより、第３循環水路内に滞留している水が混合される。この場合、第３循環水路のうち、第１循環水路と共用される水路以外の水路に比較的に温度の高い水が滞留していれば、第１循環水路と第３循環水路で共用される水路の低温水の温度を高くすることができる。このため、第１循環運転と第２循環運転とが実行されることで、第１循環水路と第２循環水路とで共用される水の温度、及び、第３循環水路の水の温度が高くなる。従って、微細気泡供給運転の開始直後に、低温水が、第１吐出口を介して、浴槽内に吐出されることをより抑制することができる。従って、風呂システムを利用するユーザの快適性を向上させることができる。
【００１０】
制御装置は、運転実行指示が取得される場合に、第１循環運転を実行し、第１循環運転が終了した後に、第２循環運転を実行してもよい。
【００１１】
上記の構成によると、第１循環運転において、第２循環水路内の水が浴槽水に置換される。即ち、第１循環運転において、第３循環水路のうち、第２循環水路と共用される水路の水が浴槽水に置換される。このため、第２循環運転において、第３循環水路のうち、第２循環水路と共用されていない水路に滞留している低温水と、第３循環水路のうち、第２循環水路と共用されている水路に滞留している浴槽水と、が混合される。これにより、第３循環水路の低温水の温度が高くなる。従って、第１循環運転が終了した後に第２循環運転を実行することで、微細気泡供給運転の開始直後に、低温水が、第１吐出口を介して、浴槽内に吐出されることをより抑制することができる。
【００１２】
風呂システムは、さらに、第１循環水路、第２循環水路、及び、第３循環水路で共用される水路に設けられている加熱装置を備え、制御装置は、運転実行指示が取得される場合に、第２循環運転を実行し、第２循環運転において、加熱装置を駆動させ、第２循環運転が終了した後に、第１循環運転を実行してもよい。
【００１３】
上記の構成によると、第２循環運転において、加熱装置が駆動される。このため、第１循環水路と第３循環水路とで共用される水路に滞留していた低温水の温度が高くなる。また、第２循環運転が終了した後に実行される第１循環運転において、第１循環水路と第２循環水路とで共用される水路の水は浴槽水に置換される。従って、第２循環運転が終了した後に第１循環運転を実行することで、微細気泡供給運転の開始直後に、低温水が、第１吐出口を介して、浴槽内に吐出されることをより抑制することができる。
【図面の簡単な説明】
【００１４】
【図１】第１、第２実施例に係る風呂システムの構成を示す図である（第１循環状態）。
【図２】第１、第２実施例に係る風呂システムの構成を示す図である（第２循環状態）。
【図３】第１、第２実施例に係る風呂システムの構成を示す図である（第３循環状態）。
【図４】第１、第２実施例に係る循環接続具を模式的に示す図である。
【図５】第１実施例に係る循環運転処理のフローチャートである。
【図６】第２実施例に係る循環運転処理のフローチャートである。
【発明を実施するための形態】
【００１５】
（第１実施例）
（風呂システム２の構成）
図１、図２を参照して、風呂システム２について説明する。風呂システム２は、熱源ユニット１０と、微細気泡発生ユニット５０と、浴槽１３０と、制御装置１５０と、を備える。熱源ユニット１０は、給水源２００、及び、微細気泡発生ユニット５０に接続されている。微細気泡発生ユニット５０は、熱源ユニット１０及び浴槽１３０に接続されている。なお、以下では、図１に示す矢印の方向に水が流れる場合を例に説明する。
【００１６】
（熱源ユニット１０の構成）
熱源ユニット１０は、給水源２００から供給される水を加熱して、浴槽１３０に加熱された水を供給するためのユニットである。熱源ユニット１０は、熱源機１２と、給水路２０と、第１戻り水路２２と、第１往き水路２４と、を備える。
【００１７】
給水路２０の上流端は、市水道などの給水源２００に接続されており、給水路２０の下流端は、第１戻り水路２２に接続されている。給水路２０には、湯張り弁２６が設けられている。湯張り弁２６は、給水路２０から第１戻り水路２２への水の流れを制御する弁である。
【００１８】
第１戻り水路２２の上流端は、微細気泡発生ユニット５０（詳細には第２戻り水路６０）に接続されており、下流端は熱源機１２に接続されている。第１戻り水路２２において、第１戻り水路２２と給水路２０の接続部よりも上流側には、第１戻り水路２２内の水の温度である循環水路水温ＣＴを検出する温度センサ２８が設けられている。第１戻り水路２２において、第１戻り水路２２と給水路２０の接続部と、熱源機１２と、の間には、第１ポンプ３０及び水流スイッチ３２が設けられている。第１ポンプ３０は、水流スイッチ３２よりも上流側に設けられており、第１戻り水路２２内の水を下流側に送り出す。水流スイッチ３２は、第１戻り水路２２内を水が通過していることを検出する。熱源機１２は、熱源機１２を通過する水を加熱するガス熱源機である。
【００１９】
第１往き水路２４の上流端は、熱源機１２に接続されており、下流端は、微細気泡発生ユニット５０（詳細には第２往き水路６８）に接続されている。
【００２０】
（微細気泡発生ユニット５０の構成）
微細気泡発生ユニット５０は、タンク５２と、第２戻り水路６０と、第２往き水路６８と、水供給水路７４と、連通水路６６と、噴出水路６４と、空気導入路１００と、を備える。
【００２１】
タンク５２は、内部に水を貯留することができる。タンク５２の内部には、タンク５２内に貯留されている水の水位を検出するための低水位電極５２ａ及び高水位電極５２ｂが設置されている。低水位電極５２ａによって検出される第１水位は、高水位電極５２ｂによって検出される第２水位よりも低い。水位電極５２ａ、５２ｂは、タンク５２内に貯留されている水の水面に接触すると、制御装置１５０にＯＮ信号を出力する。タンク５２は、水に空気が溶解している空気溶解加圧水を生成するために利用される。
【００２２】
第２戻り水路６０の上流端は、連通水路６６に接続されており、下流端は、第１戻り水路２２を介して、熱源ユニット１０に接続されている。連通水路６６は、第１切替弁８０と第２切替弁８２とを接続する。第３戻り水路６２の一端は第１切替弁８０に接続されており、他端は、浴槽１３０（詳細には循環接続具１３２）に接続されている。噴出水路６４の上流端は、タンク５２の下部に接続されており、下流端は、第１切替弁８０に接続されている。噴出水路６４には、第１切替弁８０側からタンク５２側への水の流れを防止する逆止弁８４が設けられている。上述のように、第１切替弁８０には、連通水路６６、第３戻り水路６２、及び、噴出水路６４が接続されている。第１切替弁８０は、噴出水路６４と第３戻り水路６２を接続している第１接続状態（図１の状態）と、第３戻り水路６２、噴出水路６４、及び、連通水路６６を接続している第２接続状態（図２及び図３の状態）と、を切替えることができる。
【００２３】
第２往き水路６８の上流端は、第１往き水路２４を介して、熱源ユニット１０に接続されており、下流端は第２切替弁８２に接続されている。第３往き水路７０の一端は浴槽１３０（詳細には循環接続具１３２）に接続されており、他端は第２切替弁８２に接続されている。即ち、第２切替弁８２には、連通水路６６と、第２往き水路６８と、第３往き水路７０と、が接続されている。第２切替弁８２は、第３往き水路７０と連通水路６６を接続する第３接続状態（図１及び図３の状態）と、第２往き水路６８と第３往き水路７０を接続する第４接続状態（図２の状態）と、を切替えることができる。
【００２４】
第２往き水路６８とタンク５２は、水供給水路７４で接続されている。水供給水路７４には、給水制御弁８６と第２ポンプ８８とが設けられている。給水制御弁８６は、第２ポンプ８８よりも上流側に設けられている。第２ポンプ８８は、水供給水路７４内の水を下流側へ送り出す。以下では、第１切替弁８０が第１接続状態であり、かつ、第２切替弁８２が第３接続状態である場合の風呂システム２の状態（図１の状態）を、「第１循環状態」と呼び、第１切替弁８０が第２接続状態であり、かつ、第２切替弁８２が第４接続状態である場合の風呂システム２の状態（図２の状態）を、「第２循環状態」と呼び、第１切替弁８０が第２接続状態であり、かつ、第２切替弁８２が第３接続状態である場合の風呂システム２の状態（図３の状態）を、「第３循環状態」と呼ぶ。
【００２５】
風呂システム２が第１循環状態（図１の状態）であり、湯張り弁２６が閉状態であり、かつ、給水制御弁８６が開状態である状態において、第１ポンプ３０が駆動されると、図１に示すように水が流れる。具体的には、第３往き水路７０、連通水路６６、第２戻り水路６０、及び、第１戻り水路２２を通って、熱源機１２に水が到達する。そして、熱源機１２を通過した水は、第１往き水路２４、第２往き水路６８、及び、水供給水路７４を通って、タンク５２に到達する。そして、タンク５２を通過した水は、噴出水路６４及び第３戻り水路６２を通って、浴槽１３０に到達する。以下では、図１の状態で水が流れる各水路７０、６６、６０、２２、２４、６８、７４、６４、６２を総称して、「第１循環水路」と呼ぶ。また、風呂システム２が第２循環状態（図２の状態）であり、湯張り弁２６が閉状態であり、かつ、給水制御弁８６が閉状態である状態において、第１ポンプ３０が駆動されると、図２に示すように水が流れる。具体的には、第３戻り水路６２、連通水路６６、第２戻り水路６０、及び、第１戻り水路２２を通って、熱源機１２に水が到達する。そして、熱源機１２を通過した水は、第１往き水路２４、第２往き水路６８、及び、第３往き水路７０を通って、浴槽１３０に到達する。以下では、図２の状態で水が流れる各水路６２、６６、６０、２２、２４、６８、７０を総称して、「第２循環水路」と呼ぶ。また、風呂システム２が第３循環状態（図３の状態）であり、湯張り弁２６が閉状態であり、かつ、給水制御弁８６が開状態である状態において、第１ポンプ３０が駆動されると、図３に示すように水が流れる。具体的には、噴出水路６４、連通水路６６、第２戻り水路６０、及び、第１戻り水路２２を通って、熱源機１２に水が到達する。第１ポンプ３０が駆動されているために、第１切替弁８０を通過する水は、第３戻り水路６２側には流れない。そして、熱源機１２を通過した水は、第１往き水路２４、第２往き水路６８、及び、水供給水路７４を通って、タンク５２に到達する。図３の状態で水が流れる各水路６４、６６、６０、２２、２４、６８、７４を総称して、「第３循環水路」と呼ぶ。図１、図２に示すように、水路７０、６６、６０、２２、２４、６８、６２は、第１循環水路と第２循環水路とで共用されている。
【００２６】
空気導入路１００の上流端側は、大気に開放されており、下流端がタンク５２に接続されている。空気導入路１００は、タンク５２に空気を導入する。空気導入路１００には、エアポンプ１０２と、逆止弁１０４と、が設けられている。エアポンプ１０２が駆動されると、タンク５２に空気が導入される。
【００２７】
（制御装置１５０の構成）
制御装置１５０は、熱源ユニット１０、微細気泡発生ユニット５０の各構成要素の動作を制御する。制御装置１５０は、ユーザによって操作可能なリモコン（図示省略）と通信可能に構成されている。制御装置１５０は、メモリ１５２を備える。メモリ１５２には、後述する循環運転処理（図５参照）で利用される各情報が記憶されている。制御装置１５０は、ユーザによるリモコンへの操作に応じて、追い焚き運転、循環運転、微細気泡供給運転等を実行することができる。
【００２８】
（循環接続具１３２の構成）
続いて、図４（ａ）、（ｂ）を参照して、浴槽１３０の壁部１３０ａに接続される循環接続具１３２について説明する。循環接続具１３２は、浴槽１３０内の水の追い焚きと、浴槽１３０内に微細気泡を発生させることの両方を実現させるために利用される接続具である。図４（ａ）、（ｂ）は、循環接続具１３２の断面を模式的に表した図である。図４（ａ）、（ｂ）の矢印は、水の流れを示している。図４（ａ）は、第１切替弁８０が第１接続状態であり、かつ、第２切替弁８２が第３接続状態（即ち、図１の状態）である場合の水の流れを示し、図４（ｂ）は、第１切替弁８０が第２接続状態であり、かつ、第２切替弁８２が第４接続状態（即ち、図２の状態）である場合の水の流れを示す。なお、以下では、図４の上下方向を上下方向と呼び、図４の左右方向を前後方向と呼ぶ。
【００２９】
循環接続具１３２は、上部水路１３６と、下部水路１３８と、を備える。上部水路１３６は、第３戻り水路６２と連通しており、下部水路１３８は、第３往き水路７０と連通している。上部水路１３６は、第１吐出路１３６ａと、第１吸込路１３６ｂと、に分岐される。第１吐出路１３６ａは、循環接続具１３２の前面１３２ａに設けられる第１吐出口１３４ａと連通している。第１吐出口１３４ａから吐出される水は、浴槽１３０の壁部１３０ａの前方、即ち、壁部１３０ａに垂直な方向に吐出される。なお、第１吐出口１３４ａから吐出される水の多くは、壁部１３０ａに垂直な方向に吐出されるが、一部の水は、壁部１３０ａに傾斜している方向、及び、壁部１３０ａに平行な方向に吐出される（図４（ａ）参照）。即ち、第１吐出口１３４ａから吐出される水の量は、壁部１３０ａに対する垂直成分の水の量が、壁部１３０ａに対する平行成分の水の量よりも多い。なお、変形例では、第１吐出口１３４ａから吐出される水の量のうち、壁部１３０ａに対する垂直成分の水の量が壁部１３０ａに対する平行成分の水の量よりも多ければ、壁部１３０ａに垂直な方向に対して傾斜している方向に吐出される水の量が、壁部１３０ａに垂直な方向に吐出される水の量よりも多くてもよい。第１吐出路１３６ａには、前方側から後方側への水の流れを防止する逆止部１４０ａと、微細気泡吐出ノズル１４２と、が設けられている。逆止部１４０ａは、微細気泡吐出ノズル１４２よりも前方に設けられている。微細気泡吐出ノズル１４２は、微細気泡吐出ノズル１４２を通過する水を減圧させる。第１吸込路１３６ｂは、循環接続具１３２の前面１３２ａに設けられる第１吸込口１３４ｂと連通している。第１吸込路１３６ｂには、後方側から前方側への水の流れを防止する逆止部１４０ｂが設けられている。
【００３０】
下部水路１３８は、第２吐出路１３８ａと、第２吸込路１３８ｂと、に分岐される。第２吸込路１３８ｂは、循環接続具１３２の前面１３２ａに設けられる第２吸込口１３４ｃと連通している。第２吸込路１３８ｂには、後方側から前方側への水の流れを防止する逆止部１４０ｃが設けられている。第２吐出路１３８ａは、循環接続具１３２の下面１３２ｂに設けられる第２吐出口１３４ｄと連通している。第２吐出口１３４ｄから吐出される水は、下方、即ち、壁部１３０ａに平行な方向に吐出される。なお、第２吐出口１３４ｄから吐出される水の多くは、壁部１３０ａに平行な方向に吐出されるが、一部の水は、壁部１３０ａに傾斜している方向、及び、壁部１３０ａに垂直な方向に吐出される（図４（ｂ）参照）。即ち、第２吐出口１３４ｄから吐出される水の量は、壁部１３０ａに対する平行成分の水の量が、壁部１３０ａに対する垂直成分の水の量よりも多い。なお、変形例では、第２吐出口１３４ｄから吐出される水の量のうち、壁部１３０ａに対する平行成分の水の量が壁部１３０ａに対する垂直成分の水の量よりも多ければ、壁部１３０ａに平行な方向に対して傾斜している方向に吐出される水の量が、壁部１３０ａに平行な方向に吐出される水の量よりも多くてもよい。第２吐出路１３８ａには、下方側から上方側への水の流れを防止する逆止部１４０ｄが設けられている。なお、第２吐出口１３４ｄは、循環接続具１３２の前面１３２ａ以外の側面（例えば、左側面、右側面等）に設けられていればよい。一般的に言うと、第２吐出口１３４ｄは、第２吐出口１３４ｄが吐出される多くの水が、壁部１３０ａに平行な方向に吐出されるように設けられていればよい。
【００３１】
（風呂システム２の動作）
続いて、風呂システム２の動作について説明する。以下では、風呂システム２が実施する追い焚き運転、循環運転、及び、微細気泡供給運転について順に説明する。なお、追い焚き運転、及び、循環運転が開始される時点において、第１切替弁８０、第２切替弁８２は、それぞれ、第２接続状態、第４接続状態である（図２参照）。また、第１ポンプ３０、第２ポンプ８８の駆動は停止されており、湯張り弁２６、給水制御弁８６は閉状態である。また、微細気泡供給運転が開始される時点において、第１切替弁８０、第２切替弁８２は、それぞれ、第２接続状態、第３接続状態である（図３参照）。また、第１ポンプ３０、第２ポンプ８８の駆動は停止されており、湯張り弁２６、給水制御弁８６は閉状態である。
【００３２】
（追い焚き運転）
追い焚き運転は、第１切替弁８０が第２接続状態であり、かつ、第２切替弁８２が第４接続状態である場合（図２の状態）において、浴槽水を、熱源機１２によって加熱する運転である。ユーザによって追い焚き運転の実行を指示するための操作がリモコンに実行されると、追い焚き運転が開始される。まず、制御装置１５０は、第１ポンプ３０及び熱源機１２を駆動させる。これにより、図２に示すように、浴槽水が、第２循環水路（水路６２、６６、６０、２２、２４、６８、７０）を循環する。具体的には、浴槽水が、循環接続具１３２（詳細には、第１吸込口１３４ｂ、第１吸込路１３６ｂ、及び、上部水路１３６）、第３戻り水路６２、連通水路６６、第２戻り水路６０、第１戻り水路２２を通って熱源機１２に供給される。そして、熱源機１２によって加熱された水は、第１往き水路２４、第２往き水路６８、第３往き水路７０、循環接続具１３２（詳細には、下部水路１３８、第２吐出路１３８ａ、及び、第２吐出口１３４ｄ）を通って、浴槽１３０に供給される。制御装置１５０は、浴槽１３０内の温度が設定温度に達するか、又は、追い焚き運転時間が経過すると、熱源機１２及び第１ポンプ３０の駆動を停止させる。これによって、追い焚き運転は終了する。
【００３３】
（循環運転）
循環運転は、微細気泡供給運転を実行する前に、各水路内の低温水を温度の高い水に置換するための運転である。循環運転は、微細気泡供給運転を実行する前の準備運転でもある。循環運転は、第１循環運転と第２循環運転とで構成される。制御装置１５０は、ユーザによって微細気泡供給運転の実行を指示するための操作がリモコンに実行されると、リモコンから微細気泡供給運転の実行をするための指示である運転実行指示を取得し、図５の循環運転処理を開始する。図５に示すように、ステップＳ１０〜ステップＳ２２で実行される処理が第１循環運転を構成し、ステップＳ３０〜ステップＳ３６で実行される処理が第２循環運転を構成する。
【００３４】
ステップＳ１０において、制御装置１５０は、第１ポンプ３０及び熱源機１２を駆動させる。これにより、図２に示すように、第２循環水路（水路６２、６６、６０、２２、２４、６８、７０）を水が流れる。具体的には、循環接続具１３２の第１吸込口１３４ｂから浴槽水が吸込まれる（図４（ｂ）参照）。そして、循環運転処理が開始される前に、熱源機１２よりも上流側に滞留していた水は、熱源機１２を通過する。また、熱源機１２よりも下流側の水は、循環接続具１３２の第２吐出口１３４ｄから浴槽１３０内に排水される（図４（ｂ）参照）。
【００３５】
ステップＳ１２において、制御装置１５０は、タイマのカウントを開始する。そして、ステップＳ１４において、制御装置１５０は、循環水路水温ＣＴが第１所定水温以上となることを監視する。制御装置１５０は、循環水路水温ＣＴが第１所定水温以上となる場合に、ステップＳ１４でＹＥＳと判断し、処理はステップＳ１６に進む。
【００３６】
ステップＳ１６において、制御装置１５０は、タイマの現在の値を第１基準時間ＳＴ１として特定する。そして、ステップＳ１８において、制御装置１５０は、排水運転時間ＤＴを特定する。排水運転時間ＤＴは、風呂システム２が第２循環状態（図２の状態）である状態において、第２循環水路内の低温水を温度の高い水に置換するために必要な時間である。制御装置１５０は、ステップＳ１６で特定した第１基準時間ＳＴ１、メモリ１５２に記憶されている運転係数Ｃ、及び、メモリ１５２に記憶されている追加運転時間ＡＴを利用して、排水運転時間ＤＴを特定する。運転係数Ｃは、風呂システム２が第２循環状態である場合における第２循環水路内の低温水を、比較的に温度の高い水（浴槽水又は熱源機１２で加熱された水）に置換するのに必要な時間を特定するために利用される係数である。運転係数Ｃは、風呂システム２が第２循環状態である状態において、温度センサ２８よりも上流側の水路の長さと、温度センサ２８よりも下流側の水路の長さと、の比率に応じて設定される。運転係数Ｃは、例えば、風呂システム２を家屋に設置する施工者によって設定される。本実施例において、熱源ユニット１０よりも上流側の水路の長さ及び熱源ユニット１０よりも下流側の水路の長さは、熱源ユニット１０内の水路の長さよりも比較的に長い。そして、本実施例では、風呂システム２が第２循環状態である状態における熱源ユニット１０よりも上流側の水路の長さと熱源ユニット１０よりも下流側の水路の長さは略同じである。即ち、熱源ユニット１０内に設けられている温度センサ２８の上流側の水路の長さと温度センサ２８の下流側の水路の長さも略同じであると言える。このため、温度センサ２８よりも上流側の水路が浴槽水で置換されれば、温度センサ２８よりも下流側の水路は、熱源機１２で加熱された水に置換される。従って、本実施例では、運転係数Ｃとして「１」が設定されている。制御装置１５０は、第１基準時間ＳＴ１に運転係数Ｃを乗算することで第２基準時間ＳＴ２を算出する。追加運転時間ＡＴは、第２基準時間ＳＴ２に加算される時間である。本実施例では、追加運転時間ＡＴとして「１０［秒］」が設定されている。制御装置１５０は、第２基準時間ＳＴ２に追加運転時間ＡＴを加算することで、排水運転時間ＤＴを特定する。例えば、第１基準時間ＳＴ１、運転係数Ｃ、追加運転時間ＡＴが、それぞれ、「３０［秒］」、「１」、「１０［秒］」である場合、制御装置１５０は、「４０［秒］」を排水運転時間ＤＴとして特定する。
【００３７】
ステップＳ２０において、制御装置１５０は、タイマが、ステップＳ１８で特定した排水運転時間ＤＴを経過すること監視する。制御装置１５０は、タイマが排水運転時間ＤＴを経過する場合に、ステップＳ２０でＹＥＳと判断し、処理はステップＳ２２に進む。
【００３８】
ステップＳ２２において、制御装置１５０は、第１ポンプ３０及び熱源機１２の駆動を停止させる。これにより、第１循環運転が終了する。この時点において、第３戻り水路６２、連通水路６６、第２戻り水路６０、及び、第１戻り水路２２内の水が浴槽水で置換され、第１往き水路２４、第２往き水路６８、及び、第３往き水路７０内の水が熱源機１２で加熱された水に置換されている。即ち、第２循環水路内の低温水が比較的に温度の高い水に置換されている。
【００３９】
ステップＳ３０において、制御装置１５０は、第２切替弁８２を第４接続状態から第３接続状態に切替え、給水制御弁８６を、閉状態から開状態に切替える。これにより、風呂システム２の状態が第２循環状態から第３循環状態（図３参照）に切替わる。
【００４０】
ステップＳ３２において、制御装置１５０は、第１ポンプ３０を駆動させる。これにより、図３に示すように、第３循環水路（水路６４、６６、６０、２２、２４、６８、７４）内を水が循環する。第３循環水路の内、第１往き水路２４、第２往き水路６８、第２戻り水路６０、及び、第１戻り水路２２内の水は、第１循環運転（ステップＳ１０〜ステップＳ２２）において、比較的に温度の高い水に置換されている。第１ポンプ３０を駆動させることで、第３循環水路内の低温水と比較的に温度の高い水が混合される。従って、水供給水路７４及び噴出水路６４に滞留していた低温水の温度が高くなる。
【００４１】
ステップＳ３４において、制御装置１５０は、第１ポンプ３０を駆動させてからの時間が第１所定時間（例えば、「５［秒］」）を経過することを監視する。第１所定時間は、第３循環水路内の水を混合させるのに必要な時間が設定される。制御装置１５０は、第１ポンプ３０を駆動させてからの時間が第１所定時間を経過する場合に、ステップＳ３４でＹＥＳと判断し、処理はステップＳ３６に進む。
【００４２】
ステップＳ３６において、制御装置１５０は、第１ポンプ３０の駆動を停止させて、給水制御弁８６を開状態から閉状態に切替える。ステップＳ３６が終了すると、図５の処理が終了する。これにより、第３循環水路内の水の温度も比較的に高くなる。
【００４３】
（微細気泡供給運転）
微細気泡供給運転は、風呂システム２が第１循環状態である状態（図１の状態）において、タンク５２内で空気溶解加圧水を生成し、生成された空気溶解加圧水を浴槽１３０に供給する運転である。微細気泡供給運転は、空気導入運転と、給水運転と、で構成される。
【００４４】
制御装置１５０は、図５の循環運転処理が終了すると、微細気泡供給運転を開始する。このため、微細気泡供給運転が開始される時点において、第１切替弁８０、第２切替弁８２、給水制御弁８６は、それぞれ、第２接続状態、第３接続状態、閉状態である。制御装置１５０は、微細気泡供給運転を開始する際に、第１切替弁８０を第２接続状態から第１接続状態（図１の状態）に切替え、給水制御弁８６を閉状態から開状態に切替える。また、制御装置１５０は、ユーザによって微細気泡供給運転の停止を指示するための操作がリモコンに実行されるまでの間、給水制御弁８６を開状態に維持する。
【００４５】
（空気導入運転）
空気導入運転は、タンク５２内の水の水位が、高水位電極５２ｂがＯＮである第１水位以上である場合に開始される運転である。制御装置１５０は、空気導入運転において、第１ポンプ３０、第２ポンプ８８の駆動を停止状態にさせ、エアポンプ１０２を駆動させる。これにより、タンク５２内に空気が導入されるとともに、タンク５２内の水が流出していき、タンク５２内の水の水位が低下する。制御装置１５０は、タンク５２内の水の水位が第１水位以上であると判定してから、タンク５２内の水の水位が、低水位電極５２ａがＯＦＦである第２水位未満であると判定するまでの間、空気導入運転を実行する。なお、空気導入運転では、空気溶解加圧水は生成されない。
【００４６】
（給水運転）
給水運転は、タンク５２内の水の水位が、低水位電極５２ａがＯＦＦである第２水位未満である場合に開始される運転である。給水運転において、制御装置１５０は、第１ポンプ３０、第２ポンプ８８を駆動させている状態で、エアポンプ１０２の駆動を停止させる。給水運転では、浴槽１３０内の水が、循環接続具１３２（詳細には、第２吸込口１３４ｃ、第２吸込路１３８ｂ、及び、下部水路１３８）、第３往き水路７０、連通水路６６、第２戻り水路６０、第１戻り水路２２、第１往き水路２４、第２往き水路６８、及び、水供給水路７４を通って、タンク５２に供給される（図１、図４（ａ）参照）。そして、タンク５２内において、空気溶解加圧水が生成される。そして、生成された空気溶解加圧水は、噴出水路６４、第３戻り水路６２、循環接続具１３２（詳細には、上部水路１３６、第１吐出路１３６ａ、及び、第１吐出口１３４ａ）を通って、浴槽１３０内に噴出される（図１、図４（ａ）参照）。空気溶解加圧水は、循環接続具１３２の第１吐出路１３６ａの微細気泡吐出ノズル１４２を通過する際に、大気圧以下まで減圧される。そして、空気溶解加圧水が浴槽１３０内に噴出されると、空気溶解加圧水は大気圧まで増圧され、浴槽１３０内に微細気泡が発生する。制御装置１５０は、タンク５２内の水の水位が第２水位未満であると判定してから、タンク５２内の水の水位が第１水位以上であると判定するまでの間、給水運転を実行する。
【００４７】
制御装置１５０は、タンク５２内の水の水位に応じて、空気導入運転と給水運転を繰り返し実行する。
【００４８】
制御装置１５０は、ユーザによって微細気泡供給運転の停止を指示するための操作がリモコンに実行されると、第１ポンプ３０及び第２ポンプ８８の駆動を停止させ、給水制御弁８６を開状態から閉状態に切替え、エアポンプ１０２の駆動を停止させる。さらに、制御装置１５０は、第１切替弁８０を第１接続状態から第２接続状態に切替え、第２切替弁８２を第３接続状態から第４接続状態に切替える。これにより、微細気泡供給運転が終了する。
【００４９】
上述のように、制御装置１５０は、微細気泡供給運転を実行する前に、第２循環水路（水路６２、６６、６０、２２、２４、６８、７０）内の低温水を第２吐出口１３４ｄから浴槽１３０内に排水する第１循環運転（図５のステップＳ１０〜ステップＳ２２）を実行する。第２吐出口１３４ｄは、加熱された水を浴槽１３０に吐出するための吐出口である。加熱された水が入浴者に直撃すると、入浴者に不快感を与える。このため、第２吐出口１３４ｄは、第２吐出口１３４ｄから吐出される水が入浴者に直撃しないように設計される。従って、第１循環運転において、低温水が第２吐出口１３４ｄから浴槽１３０内に排水されても、低温水は入浴者に直撃しない。そして、第１循環運転において、第２循環水路内の低温水が浴槽水に置換される。このため、第１循環水路と第２循環水路とで共用される水路（水路６２、６６、６０、２２、２４、６８、７０）の水は浴槽水に置換される。従って、微細気泡供給運転の開始直後に、低温水が、第１吐出口１３４ａを介して、浴槽１３０内に吐出されることを抑制することができる。また、制御装置１５０は、微細気泡供給運転を実行する前に、第３循環水路（水路６４、６６、６０、２２、２４、６８、７４）内において水を循環させる第２循環運転（図５のステップＳ３０〜ステップＳ３６）を実行する。これにより、第３循環水路内に滞留している水が混合される。この場合、第３循環水路のうち、第１循環水路と共用される水路以外の水路に比較的に温度の高い水が滞留していれば、第１循環水路と第３循環水路で共用される水路の低温水の温度を高くすることができる。このため、第１循環運転と第２循環運転とが実行されることで、第１循環水路と第２循環水路とで共用される水の温度、及び、第３循環水路の水の温度が高くなる。従って、微細気泡供給運転の開始直後に、低温水が、第１吐出口１３４ａを介して、浴槽１３０内に吐出されることをより抑制することができる。この結果、風呂システム２を利用するユーザの快適性を向上させることができる。
【００５０】
また、制御装置１５０は、微細気泡供給運転を実行する前に、第２循環水路（水路６２、６６、６０、２２、２４、６８、７０）内の低温水を第２吐出口１３４ｄから浴槽１３０内に排水する第１循環運転（図５のステップＳ１０〜ステップＳ２２）を実行する。第１循環運転において、第２吐出口１３４ｄが設置されている壁部１３０ａに対して平行な方向に多くの低温水が排水されるため、低温水は入浴者に直撃し難い。そして、第１循環運転において、第２循環水路内の低温水が浴槽水に置換される。このため、第１循環水路と第２循環水路とで共用される水路（水路６２、６６、６０、２２、２４、６８、７０）の水は浴槽水に置換される。従って、微細気泡供給運転の開始直後に、低温水が、第１吐出口１３４ａを介して、浴槽１３０内に吐出されることを抑制することができる。また、制御装置１５０は、微細気泡供給運転を実行する前に、第３循環水路（水路６４、６６、６０、２２、２４、６８、７４）内において水を循環させる第２循環運転（図５のステップＳ３０〜ステップＳ３６）を実行する。これにより、第３循環水路内に滞留している水が混合される。この場合、第３循環水路のうち、第１循環水路と共用される水路以外の水路に比較的に温度の高い水が滞留していれば、第１循環水路と第３循環水路で共用される水路の低温水の温度を高くすることができる。このため、第１循環運転と第２循環運転とが実行されることで、第１循環水路と第２循環水路とで共用される水の温度、及び、第３循環水路の水の温度が高くなる。従って、微細気泡供給運転の開始直後に、低温水が、第１吐出口１３４ａを介して、浴槽１３０内に吐出されることをより抑制することができる。この結果、風呂システム２を利用するユーザの快適性を向上させることができる。
【００５１】
また、制御装置１５０は、運転実行指示が取得される場合に、第１循環運転（図５のステップＳ１０〜ステップＳ２２）を実行し、第１循環運転が終了した後に、第２循環運転（図５のステップＳ３０〜ステップＳ３６）を実行する。第１循環運転において、第２循環水路内の水が浴槽水に置換される。即ち、第３循環水路のうち、第２循環水路と共用される水路（水路６６、６０、２２、２４、６８）の水が浴槽水に置換される。このため、第２循環運転において、第３循環水路のうち、第２循環水路と共用されていない水路に滞留している低温水と、第３循環水路のうち、第２循環水路と共用されている水路に滞留している浴槽水と、が混合される。これにより、第３循環水路の低温水の温度が高くなる。従って、第１循環運転が終了した後に第２循環運転を実行することで、微細気泡供給運転の開始直後に、低温水が、第１吐出口１３４ａを介して、浴槽１３０内に吐出されることをより抑制することができる。
【００５２】
（対応関係）
第１吸込口１３４ｂ及び第２吸込口１３４ｃが、「吸込口」の一例である。第１ポンプ３０が、「ポンプ」の一例である。タンク５２、空気導入路１００、及び、エアポンプ１０２が、「気液混合装置」の一例である。熱源機１２が、「加熱装置」の一例である。第１戻り水路２２及び第１往き水路２４が、「第１循環水路、第２循環水路、及び、第３循環水路で共用される水路」の一例である。水供給水路７４及び噴出水路６４が、「第１循環水路及び第３循環水路で共用される水路」の一例である。浴槽１３０の壁部１３０ａが、「第１吐出口が設置される壁部」及び「第２吐出口が設置される壁部」の一例である。
【００５３】
（第２実施例）
第２実施例では、制御装置１５０によって実行される循環運転処理の内容が、第１実施例の循環運転処理と異なる。本実施例では、制御装置１５０は、運転実行指示が取得される場合に、第２循環運転を実行し、その後に、第１循環運転を実行する。
【００５４】
図６を参照して、本実施例の循環運転処理について説明する。ステップＳ１３０において、制御装置１５０は、第２切替弁８２を第４接続状態から第３接続状態に切替え、給水制御弁８６を、閉状態から開状態に切替える。これにより、風呂システム２の状態が第２循環状態から第３循環状態に切替わる。
【００５５】
ステップＳ１３２において、制御装置１５０は、第１ポンプ３０及び熱源機１２を駆動させる。これにより、第３循環水路（水路６４、６６、６０、２２、２４、６８、７４）内を水が循環し、熱源機１２によって加熱される。従って、第３循環水路内の低温水の温度が高くなる。
【００５６】
ステップＳ１３４において、制御装置１５０は、第１ポンプ３０及び熱源機１２を駆動させてからの時間が第２所定時間（例えば、「１５［秒］」）を経過することを監視する。第２所定時間は、第３循環水路内の低温水を熱源機１２によって加熱させるのに必要な時間が設定される。制御装置１５０は、第１ポンプ３０及び熱源機１２を駆動させてからの時間が第２所定時間を経過する場合に、ステップＳ１３４でＹＥＳと判断し、処理はステップＳ１３６に進む。
【００５７】
ステップＳ１３６において、制御装置１５０は、第１ポンプ３０及び熱源機１２の駆動を停止させる。ステップＳ１３８において、制御装置１５０は、第２切替弁８２を第３接続状態から第４接続状態に切替え、給水制御弁８６を、開状態から閉状態に切替える。これにより、風呂システム２の状態が第３循環状態から第２循環状態に切替わる。
【００５８】
次いで、制御装置１５０は、第１実施例の第１循環運転（図５のステップＳ１０〜ステップＳ２２）と同様の処理を実行する。そして、第１循環運転が終了すると、図６の処理が終了する。
【００５９】
上記の構成によると、制御装置１５０は、運転実行指示が取得される場合に、第２循環運転（図６のステップＳ１３０〜ステップＳ１３８）を実行し、第２循環運転が終了した後に、第１循環運転（図５のステップＳ１０〜ステップＳ２２）を実行する。第２循環運転において、熱源機１２が駆動される。このため、第３循環水路（水路６４、６６、６０、２２、２４、６８、７４）に滞留していた低温水の温度が高くなる。また、第２循環運転が終了した後に実行される第１循環運転において、第１循環水路と第２循環水路とで共用される水路（水路６２、６６、６０、２２、２４、６８、７０）の水は浴槽水に置換される。従って、第２循環運転が終了した後に第１循環運転を実行することで、微細気泡供給運転の開始直後に、低温水が、第１吐出口１３４ａを介して、浴槽内に吐出されることをより抑制することができる。
【００６０】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６１】
（第１変形例）上記の実施例では、１個の循環接続具１３２が、第１吐出口１３４ａ、第２吐出口１３４ｄ、第１吸込口１３４ｂ、第２吸込口１３４ｃを備えている。変形例では、風呂システム２が、複数の循環接続具を備えてもよい。例えば、第１の循環接続具が、第１吐出口、第１吸込口を備え、第２の循環接続具が、第２吐出口、第２吸込口を備えてもよい。また、別の変形例では、第１の循環接続具が、第１吸込口、第２吸込口を備え、第２の循環接続具が、第１吐出口、第２吐出口を備えてもよい。また、風呂システム２が第１の循環接続具及び第２の循環接続具を備えている場合に、第１の循環接続具及び第２の循環接続具が浴槽１３０の異なる壁部に設けられていてもよい。例えば、第１の循環接続具が、浴槽１３０の壁部１３０ａに設けられており、第２の循環接続具が壁部１３０ａに対向する壁部に設けられていてもよい。即ち、「第１吐出口が設置される壁部」及び「第２吐出口が設置される壁部」が異なる壁部であってもよい。
【００６２】
（第２変形例）図５の循環運転処理のステップＳ１０において、制御装置１５０は、熱源機１２を駆動させなくてもよい。本変形例では、メモリ１５２に記憶されている運転係数Ｃには、第２循環水路内の多くの低温水を、浴槽水に置換するのに必要な時間が設定されるとよい。例えば、風呂システム２が第２循環状態である状態の温度センサ２８の上流側の水路の長さと温度センサ２８の下流側の水路の長さとがほぼ同じである場合、運転係数Ｃとして「２」が設定される。
【００６３】
（第３変形例）風呂システム２は、温度センサ２８を備えていなくてもよい。本変形例では、制御装置１５０は、図５の循環運転処理において、ステップＳ１２〜ステップＳ２０の処理に代えて、ステップＳ１０の処理を実行してから第３所定時間（例えば、「３０［秒］」）が経過することを監視する。
【００６４】
（第４変形例）上記の実施例では、タンク５２に空気が導入されている。変形例では、空気に代えて、炭酸ガス、水素、酸素等の気体がタンク５２に導入されてもよい。この場合、気体が充填されているタンクを空気導入路１００の上流端に配設するとよい。
【００６５】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６６】
２        ：風呂システム
１０      ：熱源ユニット
１２      ：熱源機
２０      ：給水路
２２      ：第１戻り水路
２４      ：第１往き水路
２６      ：湯張り弁
２８      ：温度センサ
３０      ：第１ポンプ
３２      ：水流スイッチ
５０      ：微細気泡発生ユニット
５２      ：タンク
５２ａ    ：低水位電極
５２ｂ    ：高水位電極
６０      ：第２戻り水路
６２      ：第３戻り水路
６４      ：噴出水路
６６      ：連通水路
６８      ：第２往き水路
７０      ：第３往き水路
７４      ：水供給水路
８０      ：第１切替弁
８２      ：第２切替弁
８４      ：逆止弁
８６      ：給水制御弁
８８      ：第２ポンプ
１００    ：空気導入路
１０２    ：エアポンプ
１０４    ：逆止弁
１３０    ：浴槽
１３０ａ  ：壁部
１３２    ：循環接続具
１３２ａ  ：前面
１３２ｂ  ：下面
１３４ａ  ：第１吐出口
１３４ｂ  ：第１吸込口
１３４ｃ  ：第２吸込口
１３４ｄ  ：第２吐出口
１３６    ：上部水路
１３６ａ  ：第１吐出路
１３６ｂ  ：第１吸込路
１３８    ：下部水路
１３８ａ  ：第２吐出路
１３８ｂ  ：第２吸込路
１４０ａ〜１４０ｄ：逆止部
１４２    ：微細気泡吐出ノズル
１５０    ：制御装置
１５２    ：メモリ
２００    ：給水源
【図１】
2020183836.tif 000003
【図２】
2020183836.tif 000004
【図３】
2020183836.tif 000005
【図４】
2020183836.tif 000006
【図５】
2020183836.tif 000007
【図６】
2020183836.tif 000008